(57)【要約】【課題】カメラ撮影装置に記録媒体を搭載することなく、カメラ撮影映像を遠隔地などにあるホームサーバ機器に録画できる環境を提供すること。【解決手段】インターネット接続機能や映像ストリームを配信する機能を搭載したカメラ撮影装置と、インターネット接続機能や映像ストリーム録画機能を搭載したホームサーバとを、含んで構成され、カメラ撮影装置は、撮影されたデジタル映像ストリームデータをデータ圧縮する手段と、この手段によって生成された映像ストリームに録画開始と録画停止の操作情報を付加する手段と、操作情報を付加された映像ストリームをインターネットを介して配信する手段とを有し、ホームサーバは、配信された映像ストリームをインターネットを介して受信する手段と、受信された映像ストリームから前記操作情報を検出する手段と、検出された前記操作情報に基づき受信した映像ストリームを録画する手段とを有する。【選択図】      図１
2005006002.tif 000002
【特許請求の範囲】
【請求項１】
インターネット接続機能およびインターネットを介して映像ストリームを配信する機能を搭載したカメラ撮影装置と、インターネット接続機能および映像ストリーム録画機能を搭載したホームサーバとを、含んで構成されるカメラ撮影システムにおいて、
前記カメラ撮影装置は、撮影されたデジタル映像ストリームデータをデータ圧縮するためにエンコードするエンコード手段と、このエンコード手段によって生成された映像ストリームに録画開始と録画停止の操作情報を付加する操作情報付加手段と、前記操作情報を付加された前記映像ストリームをインターネットを介して配信する映像ストリーム配信手段とを有し、
前記ホームサーバは、前記カメラ撮影装置より配信された映像ストリームをインターネットを介して受信する映像ストリーム受信手段と、この映像ストリーム受信手段によって受信された前記映像ストリームから、前記映像ストリームに付加された録画開始と録画停止の前記操作情報を検出する操作情報検出手段と、この操作情報検出手段によって検出された前記操作情報に基づく録画開始から録画停止の期間内に、受信した前記映像ストリームを録画する映像ストリーム録画手段とを有する、
ことを特徴とするカメラ撮影システム。
【請求項２】
請求項１に記載のカメラ撮影システムにおいて、
前記カメラ撮影装置に、撮影してエンコードされ前記操作情報が付加された映像ストリームを一時的に蓄える手段を設け、前記カメラ撮影装置の前記映像ストリーム配信手段は、前記一時的に蓄えられた映像ストリームを、インターネットを介して配信可能なレートで、逐次配信することを特徴とするカメラ撮影システム。
【請求項３】
請求項１に記載のカメラ撮影システムにおいて、
前記カメラ撮影装置に、前記カメラ撮影装置と前記ホームサーバとの間の通信レートを検出する通信レート検出手段を設け、前記カメラ撮影装置の前記エンコード手段は、前記通信レート検出手段により検出された通信レートを超えないようなデータレートの映像ストリームを生成するようことを特徴とするカメラ撮影システム。
【発明の詳細な説明】
【０００１】
【発明の属する技術分野】
本発明は、インターネットを介して接続されるカメラ撮影装置と録画機能をもつホームサーバとを含んで構成されるカメラ撮影システムに係り、特に、カメラ撮影装置で撮影された映像データを、インターネットを介して遠隔地などに設置されているホームサーバへ録画する技術に関する。
【０００２】
【従来の技術】
近年、映像・音声信号をＨＤＤやＤＶＤなどのデジタル記録媒体に録画するホームサーバ機器が普及してきており、インターネットを利用したストリーミング配信機能により、外出先の携帯端末から、自宅にあるホームサーバ機器の録画コンテンツを視聴することも可能になってきている。
【０００３】
ビデオカメラ機器についても同様で、ＤＶＤなどのデジタル記録媒体への記録を行う機器が登場してきており、記録媒体はテープメディアからディスクメディアへと移行しつつある。
【０００４】
しかし、カメラ機器にセットした記録媒体に録画を行うという形態は変わっておらず、撮影中に記録媒体の記録容量を使い切ってしまうと、撮影が中断されてしまうという不便さは依然としてあった。また、録画コンテンツをホームサーバで全て管理したい場合には、ビデオカメラで録画したコンテンツをホームサーバに移動しなければならないという手間もあった。
【０００５】
また例えば、現場検証・進捗管理を行うために、建築内装の元請け業者が、設計図面通りに建築物が施工されているかどうかをデジタルビデオカメラを使用して確認し、デジタルビデオカメラで撮影した建築内装作業現場の画像データを、元請け業者の事務所のインターネットサーバに送信し、元請け業者の管理者・内装下請け業者・建築設計士・ゼネコンの担当者・販売業者の担当者などが、各々の所在場所において、インターネットサーバに記録・蓄積された画像データを閲覧できるようにしたシステムが提案されている（特許文献１参照）。この特許文献１に開示された技術では、カメラ側に接続されているカメラサーバからインターネットを介して、カメラで撮影したデジタル写真形態及びデジタル動画形態の画像を、ＷＥＢサーバにアップロードすることで、遠隔地にてＷＥＢブラウザを通して、カメラ撮影映像を確認でき、また、カメラ撮影映像を直接ＷＥＢブラウザに配信して確認できる（特許文献１参照）。
【０００６】
しかし、上記した特許文献１のシステムでは、ＷＥＢサーバにアップロードする画像データとしては、ＪＰＥＧ静止画像か、一定間隔（１分毎等）に撮影したＪＰＥＧ静止画像を前提としており、ムービー映像の録画には程遠いものであった。
【０００７】
【特許文献１】
特開２００１−３４９０５９号公報
【０００８】
ここで、従来の技術による、カメラ撮影映像をストリーミングサーバを介してインターネット配信する手法について説明する。図４は、この従来のカメラ撮影映像配信システムの構成を示す図であり、同図において、４００はデジタルカメラ、４０１はエンコーダ用ＰＣ（パーソナルコンピュータ）、４０２は無線ＬＡＮカード、４０３はホットスポット（無線ＬＡＮホットスポット）、４０４はインターネット、４０５はストリーミングサーバ、４０６は視聴用ＰＣ（パーソナルコンピュータ）である。
【０００９】
まず、カメラ撮影映像をストリーミングサーバ４０５にアップロードする手順を説明する。デジタルカメラ４００により撮影されたデジタル映像データは、エンコーダ用ＰＣ４０１に入力される。この間の接続は、ＤＶ端子などのデジタルＩ／Ｆ（インターフェース）で接続されているものとする。また、ここで言うデジタル映像データには、当然、音声データも含まれているが、説明を簡略化するために、以後の説明からは音声データについての記載は省略する。
【００１０】
デジタルカメラ４００から入力されたデジタル映像データは、エンコーダ用ＰＣ４０１にて、映像エンコード処理によりデータ圧縮される。このときの圧縮方式は、ＭＰＥＧ４やＨ．２６４，ＶＰ５等の低レートで高画質が確保できるものを使用する。ここで圧縮されたデジタル映像データを、以後、映像ストリームと呼ぶ。
【００１１】
エンコーダ用ＰＣ４０１には無線ＬＡＮカード４０２が装着されており、ホットスポット４０３などのアクセスポイントを介して、インターネット４０４に接続されているものとする。このときの無線ＬＡＮ方式は、ＩＥＥＥ８０２．１１ｂや１１ｇの規格に準拠したものが考えられるが、なるべく高速の通信方式でインターネットに接続されることが望ましい。
【００１２】
ここでは無線ＬＡＮによる接続を例に挙げたが、携帯モデム通信による接続等、なんらかのインターネット４０４への接続手段が装備されていれば良い。
【００１３】
こうして、エンコーダ用ＰＣ４０１で生成された映像ストリームは、インターネット４０４を介してストリーミングサーバ４０５にアップロードされる。同時に、ストリーミングサーバ４０５は、アップロードされた映像ストリームをインターネット４０４を介して配信する。アップロードされた映像ストリームを同時に配信することを、リアルタイム配信と呼ぶ。
【００１４】
なお、このとき、エンコーダ用ＰＣ４０１とストリーミングサーバ４０５とが同一マシンであっても構わない。
【００１５】
なんらかの回線ルートにてインターネット４０４に接続された視聴用ＰＣ４０６は、ストリーミングサーバ４０５からリアルタイム配信された映像ストリームを受信し、受信した映像ストリームを映像デコード処理することにより、カメラ撮影映像を確認することができる。
【００１６】
このようにして、カメラ撮影映像をリアルタイムで、遠隔地にある端末で確認することができる。
【００１７】
しかし、この方式では、カメラ撮影装置側は不特定多数の端末に映像を配信し、ユーザ端末側は配信された映像を視聴するだけというものであるため、カメラ撮影映像を録画したい場合には、カメラ撮影装置側になんらかの記録媒体を用意する必要があり、記録媒体の残り容量を常に気にしておく必要があり、また、取替え用の記録媒体を持ち運ばなければならなかった。
【００１８】
【発明が解決しようとする課題】
上述したように、従来の技術では、カメラ撮影装置に記録媒体を搭載しているため、記録媒体の記録容量を使い切ってしまうと撮影が継続できないため、常に残り容量を気にしていなければならず、さらに、取替え用の記録媒体を持ち運ばなければならず、手間がかかり煩わしいという問題があった。
【００１９】
このような問題を解決するため、本発明では、カメラ撮影装置からインターネットを介して映像ストリームを配信し、遠隔地などにあるユーザ宅に設置してあるホームサーバ機器にて配信された映像ストリームを録画可能とすることにより、カメラ撮影装置に記録媒体を搭載することなく、カメラ撮影映像を録画できる環境を提供することを目的とする。
【００２０】
【課題を解決するための手段】
本発明は上記した目的を達成するため、インターネット接続機能およびインターネットを介して映像ストリームを配信する機能を搭載したカメラ撮影装置と、インターネット接続機能および映像ストリーム録画機能を搭載したホームサーバとを、含んで構成されるカメラ撮影システムにおいて、
前記カメラ撮影装置は、撮影されたデジタル映像ストリームデータをデータ圧縮するためにエンコードするエンコード手段と、このエンコード手段によって生成された映像ストリームに録画開始と録画停止の操作情報を付加する操作情報付加手段と、前記操作情報を付加された前記映像ストリームをインターネットを介して配信する映像ストリーム配信手段とを有し、
前記ホームサーバは、前記カメラ撮影装置より配信された映像ストリームをインターネットを介して受信する映像ストリーム受信手段と、この映像ストリーム受信手段によって受信された前記映像ストリームから、前記映像ストリームに付加された録画開始と録画停止の前記操作情報を検出する操作情報検出手段と、この操作情報検出手段によって検出された前記操作情報に基づく録画開始から録画停止の期間内に、受信した前記映像ストリームを録画する映像ストリーム録画手段とを有する、構成をとる。
さらに、本発明のカメラ撮影システムにおいては、前記カメラ撮影装置に、撮影してエンコードされ前記操作情報が付加された映像ストリームを一時的に蓄える手段を設け、前記カメラ撮影装置の前記映像ストリーム配信手段は、前記一時的に蓄えられた映像ストリームを、インターネットを介して配信可能なレートで、逐次配信する。
あるいは、本発明のカメラ撮影システムにおいては、前記カメラ撮影装置に、前記カメラ撮影装置と前記ホームサーバとの間の通信レートを検出する通信レート検出手段を設け、前記カメラ撮影装置の前記エンコード手段は、前記通信レート検出手段により検出された通信レートを超えないようなデータレートの映像ストリームを生成する。
【００２１】
【発明の実施の形態】
以下、本発明の実施の形態を、図面を用いて説明する。
【００２２】
＜第１実施形態＞
図１は本発明の第１実施形態に係るカメラ撮影システムの構成を示す図である。図１において、１００はデジタルカメラで、カメラ撮影映像エンコード機能部１０１、録画開始・停止情報付加機能部１０２、映像ストリーム配信機能部１０３、インターネット接続機能部１０４などを有しており、また、インターネット接続機能部１０４に接続される無線ＬＡＮカード１０５が装着されている。このデジタルカメラ１００には、図示していないが、カメラ撮影部や、録画ボタン・停止ボタンなどの操作ボタンが設けられている。
【００２３】
また、１０６はホットスポット（無線ＬＡＮホットスポット）、１０７はインターネット、１０８はＩＳＰ（Ｉｎｔｅｒｎｅｔ  Ｓｅｒｖｉｃｅ  Ｐｒｏｖｉｄｅｒ）である。
【００２４】
また、１０９はホームサーバで、インターネット接続機能部１１０、映像ストリーム受信機能部１１１、録画開始・停止情報検出機能部１１２、映像ストリーム録画機能部１１３などを有している。このホームサーバ１０９には、図示していないが、映像ストリーム録画機能部１１３の制御のもとに、映像ストリーム（音声データも含む）の録画を行う大容量の記録媒体（例えば、ＨＤＤ、ＤＶＤ−ＲＷなど）が内蔵ないし着脱可能に装着されている。さらに、ホームサーバ１０９には、記録媒体に記録された映像ストリームの再生機能と、再生映像などを表示する表示装置とが具備されている。
【００２５】
本第１実施形態のカメラ撮影システムにおいて、デジタルカメラ１００で撮影したデジタル映像データ（カメラ撮影映像）を、インターネット１０７を介してホームサーバ１０９に配信する手順を、以下に説明する。なお、ここで言うデジタル映像データには、当然、音声データも含まれているが、説明を簡略化するために、以後の説明では音声データについての記載は省略する（これは、以下の実施形態においても同様である）。
【００２６】
まず、デジタルカメラ１００のカメラ撮影部で撮影されデジタル変換されたデジタル映像データ（時系列のデジタル映像ストリームデータ）は、カメラ撮影映像エンコード機能部１０１により、配信に適したレートに圧縮される。ここで行う圧縮方式には、ＭＰＥＧ４やＨ２６４，ＶＰ５等の低レートで高画質が確保できるものを用いる。なお、ここで圧縮されたデジタル映像データを、以後、映像ストリームと呼ぶ（これは、以下の実施形態においても同様である）。
【００２７】
次に、カメラ撮影映像エンコード機能部１０１によってエンコードされた映像ストリームに、録画開始・停止情報付加機能部１０２により、操作情報としての録画開始情報や録画停止情報を付加する。
【００２８】
映像ストリームへの録画開始情報や録画停止情報の付加手順を説明するため、映像ストリーム１１４のイメージを、図１中に示してある。時間軸は左から右に流れるものとし、配信開始１１５の時点からストリーム配信が開始するものとする。
【００２９】
いま、ユーザ操作により、デジタルカメラ１００の録画ボタンが押されたとする。そのときに、映像ストリーム１１４の１１６の位置に、録画開始情報１１７を付加する。また、ユーザ操作により、デジタルカメラ１００の停止ボタンが押されたときに、映像ストリーム１１４の１１８の位置に、録画停止情報１１９をに付加する。このような手順で、映像ストリーム１１４に録画開始情報１１７と録画停止情報１１９とを付加する。
【００３０】
このようにして加工された映像ストリーム１０４は、映像ストリーム配信機能部１０３により、インターネット接続機能部１０４、無線ＬＡＮカード１０５を用いて、ホットスポット１０６を介してインターネット１０７により配信される。この配信機能は、不特定多数に配信する機能ではなく、ユーザにより指定されたホームサーバ１０９に配信するための機能となる。
【００３１】
また、配信に用いる方式としては、ＲＴＰ（Ｒｅａｌ−ｔｉｍｅ  Ｔｒａｎｓｐｏｒｔ  Ｐｒｏｔｏｃｏｌ）やＲＴＳＰ（ＲｅａｌＴｉｍｅ  Ｓｔｒｅａｍｉｎｇ  Ｐｒｏｔｏｃｏｌ）などのプロトコルを用いて配信するのが、一般的である。
【００３２】
インターネット１０７への接続については、インターネット接続機能部１０４によりＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）を用いて、無線ＬＡＮカード１０５を介してホットスポット１０６をアクセスポイントとすることで、インターネット１０７に接続する。もちろん、無線ＬＡＮカード１０５やホットスポット１０６を介さなくてもインターネット１０７に接続する携帯モデム通信等の通信手段があれば、それを利用する。
【００３３】
このようにして、デジタルカメラ１００にて撮影された映像が、インターネット１０７を介して、ユーザにより指定されたホームサーバ１０９に配信される。
【００３４】
次に、デジタルカメラ１００から配信された映像ストリームを、ホームサーバ１０９にて受信する手順を説明する。
【００３５】
ホームサーバ１０９は、搭載しているインターネット接続機能部１１０により、ＩＳＰ（Ｉｎｔｅｒｎｅｔ  Ｓｅｒｖｉｃｅ  Ｐｒｏｖｉｄｅｒ）１０８を介して、インターネット１０７に接続されている。このとき、ホームサーバ１０９には、固定ＩＰアドレスまたは固定のドメイン名（ダイナミックＤＮＳサービスによる）が割り振られており、インターネット１０７に接続している外部端末から固定アドレスにて参照できるようになっていることを前提とする。
【００３６】
デジタルカメラ１００の前記映像ストリーム配信機能部１０３では、この固定アドレスに接続して、映像ストリームを配信するものとする。
【００３７】
こうしてデジタルカメラ１００から配信された映像ストリームは、ホームサーバ１０９の映像ストリーム受信機能部１１１により受信される。
【００３８】
この受信する手順であるが、本発明の各実施形態では、基本的に、映像ストリーム受信機能部１１１にて予め外部機器からの受信待ちの状態としておき、外部機器からインターネット１０７を介してＴＣＰ／ＩＰの場合であればコネクションを張った後、映像ストリームを受信し、ＵＤＰ／ＩＰ（Ｕｓｅｒ  Ｄｔａｇｒａｍ  Ｐｒｏｔｏｃｏｌ／ＩＰ）であればそのまま映像ストリームを受信するということを行う。
【００３９】
受信された映像ストリーム１１４は、録画開始・停止情報検出機能部１１２により、録画開始情報１１７の位置と、録画停止情報１１９の位置とを検出し、この２つの情報１１７、１１９との間の期間に受信した映像ストリーム１２０を、映像ストリーム録画機能部１１３によって、ホームサーバ１０９に搭載している記録媒体（ここでは、主にＨＤＤを指す）に録画する。
【００４０】
以上の処理により、外出先にてデジタルカメラ１００で撮影した映像を、インターネット１０７を介して、自宅のホームサーバ１０９に録画することができ、デジタルカメラ（カメラ撮影装置）側に記録媒体を持たずに、撮影映像の録画を可能とする環境を提供することができ、ユーザの利便性が大いに向上する。
【００４１】
＜第２実施形態＞
図２は本発明の第２実施形態に係るカメラ撮影システムの構成を示す図であり、同図において、図１に示した前記第１実施形態と均等な構成要素には同一符号を付し、その説明は重複を避けるため割愛する。
【００４２】
図２において、２０１はバッファメモリ機能部で、本第２実施形態のカメラ撮影システムが前記第１実施形態と異なるのは、デジタルカメラ１００にバッファメモリ機能部２０１を付加した点にある。
【００４３】
本第２実施形態の動作を、前記第１実施形態と異なるところを主体として説明する。
【００４４】
デジタルカメラ１００のカメラ撮影部で撮影されデジタル変換されたデジタル映像データは、カメラ撮影映像エンコード機能部１０１により、録画に適したレートに圧縮される。次に、カメラ撮影映像エンコード機能１０１によってエンコードされた映像ストリームに、録画開始・停止情報付加機能１０２により、録画開始情報や録画停止情報を付加する。
【００４５】
こうして生成された映像ストリームを、一時的にバッファメモリ機能部２０１により、一定量蓄える。この一定量とは、インターネット１０７を介して配信可能な通信レート（伝送レート）と、映像ストリームのデータレートにもよるが、基本的に、ユーザが連続して撮影する可能性のある時間分、映像ストリームを一時保存しておける程度を用意しておく。
【００４６】
上記の一時保存処理と同時に、映像ストリーム配信機能部１０３により、バッファメモリ機能部２０１に蓄えられた映像ストリームを、インターネット１０７を介して配信可能なレートで配信する。すなわち、映像ストリーム配信機能部１０３により、インターネット接続機能部１０４、無線ＬＡＮカード１０５を用いて、ホットスポット１０６を介してインターネット１０７に映像ストリームが配信される。
【００４７】
この後は、第１実施形態と同様の手順で、ＩＳＰ１０８、インターネット接続機能部１１０を介して、インターネット１０７に接続しているホームサーバ１０９の映像ストリーム受信機能部１１１により、配信された映像ストリームを受信し、録画開始・停止情報検出機能部１１２により、録画する映像ストリームを検出し、映像ストリーム蓄積録画機能部１１３により、受信された映像ストリームを、ホームサーバ１０９に搭載している記録媒体（ここでは、主にＨＤＤを指す）に録画していく。
【００４８】
このとき、リアルタイム映像ストリームではないが、映像ストリームファイルをダウンロード保存するようなイメージで録画される。
【００４９】
以上の処理により、カメラ撮影された映像ストリームのレートが、インターネットを介して配信可能なレートよりも高い場合でも、自宅のホームサーバに録画可能な環境を提供することができる。
【００５０】
＜第３実施形態＞
図３は本発明の第３実施形態に係るカメラ撮影システムの構成を示す図であり、同図において、図１に示した前記第１実施形態と均等な構成要素には同一符号を付し、その説明は重複を避けるため割愛する。
【００５１】
図３において、３０１は通信レート検出機能部で、本第３実施形態のカメラ撮影システムが前記第１実施形態と異なるのは、デジタルカメラ１００に通信レート検出機能部３０１を付加した点にある。
【００５２】
本第３実施形態の動作を、前記第１実施形態と異なるところを主体として説明する。
【００５３】
本第３実施形態では、デジタルカメラ１００にて撮影が開始されると、通信レート検出機能部３０１により、インターネット接続機能部１０４、無線ＬＡＮカード１０５、ホットスポット１０６、インターネット１０７、ＩＳＰ１０８を介して、ホームサーバ１０９に接続し、デジタルカメラ１００からホームサーバ１０９までの最大通信レートを検出する。通信レート（通信速度）の検出手法としては、ある一定サイズのファイルをデジタルカメラ１００から送信し、ホームサーバ１０９に転送完了するまでの時間を測定する手法など、なるべく短時間で検出できる手法を用いればよい。
【００５４】
通信レート検出機能部３０１は、こうして検出された通信レートを超えないような映像ストリームを生成するよう、カメラ撮影映像エンコード機能部１０１にて行うエンコード処理を制御する。
【００５５】
この後は、第１実施形態と同様の手順で、カメラ撮影映像エンコード機能部１０１によってエンコードされた映像ストリームに、録画開始・停止情報付加機能部１０２により、録画開始情報や録画停止情報を付加し、映像ストリーム配信機能部１０３により、インターネット接続機能部１０４、無線ＬＡＮカード１０５を用いて、ホットスポット１０６を介してインターネット１０７に映像ストリームが配信される。
【００５６】
ホームサーバ１０９側では、ＩＳＰ１０８、インターネット接続機能部１１０を介して、インターネット１０７に接続しているホームサーバ１０９の映像ストリーム受信機能部１１１により、配信された映像ストリームを受信し、録画開始・停止情報検出機能部１１２により、録画する映像ストリームを検出し、映像ストリーム蓄積録画機能部１１３により、逐次受信された映像ストリームを、ホームサーバ１０９に搭載している記録媒体（ここでは、主にＨＤＤを指す）に録画していく。
【００５７】
以上の処理により、インターネットの通信速度を意識することなく、カメラ撮影映像を、自宅のホームサーバに録画可能な環境を提供することができる。
【００５８】
【発明の効果】
以上のように本発明によれば、カメラ撮影装置にて撮影した映像を、インターネットを介して、遠隔地などにあるホームサーバに録画することができるため、カメラ撮影装置側に記録媒体を搭載する必要がなくなり、ホームサーバ側の記録媒体の容量が許す限り、カメラ撮影画像の録画を行う環境を提供することができる。
また、カメラ撮影映像を一時的にカメラ撮影装置にバッファリングすることで、録画したい映像ストリームのデータレートが、インターネットの通信レート以上であっても（インターネットの通信レートが、撮影した映像をインターネットにリアルタイム配信する際に必要とする伝送レートに満たない場合であっても、バッファメモリの容量が許す限り）、インターネットを介して遠隔地などにあるホームサーバに録画可能な環境を提供することができる。
また、カメラ撮影装置とホームサーバとの間の通信レートを検出し、検出された通信レートを超えないような映像ストリームを生成するので、つまり、インターネットの最大通信レートは接続環境に応じて変化するが、その変化に自動追従して映像ストリームのデータレートを制御するため、撮影の度にインターネットの通信レートを気にすることなく、カメラ撮影映像をホームサーバに録画することが可能な環境を提供することができる。
【図面の簡単な説明】
【図１】本発明の第１実施形態に係るカメラ撮影システムの構成図である。
【図２】本発明の第２実施形態に係るカメラ撮影システムの構成図である。
【図３】本発明の第３実施形態に係るカメラ撮影システムの構成図である。
【図４】従来技術によるカメラ撮影映像配信システムの構成図である。
【符号の説明】
１００  デジタルカメラ
１０１  カメラ撮影映像エンコード機能部
１０２  録画開始・停止情報付加機能部
１０３  映像ストリーム配信機能部
１０４  インターネット接続機能部
１０５  無線ＬＡＮカード
１０６  ホットスポット
１０７  インターネット
１０８  ＩＳＰ
１０９  ホームサーバ
１１０  インターネット接続機能部
１１１  映像ストリーム受信機能部
１１２  録画開始・停止情報検出機能部
１１３  映像ストリーム録画機能部
２０１  バッファメモリ機能部
３０１  通信レート検出機能部
【図１】
2005006002.tif 000003
【図２】
2005006002.tif 000004
【図３】
2005006002.tif 000005
【図４】
2005006002.tif 000006